(57)【要約】【課題】補助者や過剰な拘束具を不要として、簡易且つ確実に採血部位にランセットの針を穿刺できる手段を提供する。【解決手段】穿刺補助器具１０は、第１狭持片２１及び第２狭持片２２がヒンジ２３を介して回動可能に連結された狭持部材１１と、第１狭持片２１に設けられて、穿刺器具９０を保持する保持部１２と、第１狭持片２１に設けられた操作ボタン１３と、保持部１２に保持された穿刺器具９０のトリガー９３を動作させるように移動可能な押圧板１４と、操作ボタン１３の動作と押圧板１４の移動とを連動させるリンク１５とを具備する。【選択図】図１
2010155022.tif 000002
【特許請求の範囲】
【請求項１】
第１狭持片及び第２狭持片がヒンジを介して回動可能に連結されて、当該第１狭持片と当該第２狭持片との間に採血部位を狭持可能な狭持部材と、
上記第１狭持片又は上記第２狭持片のいずれか一方に設けられて、トリガーが動作されることによって穿刺器具から突出されるランセットの針が、上記第１狭持片又は上記第２狭持片において他方と対向する第１面から突出されるように、当該穿刺器具を保持する保持部と、
上記第１狭持片又は上記第２狭持片のいずれか一方に設けられた操作ボタンと、
上記保持部に保持された上記穿刺器具のトリガーを動作させるように移動可能なスイッチ部材と、
上記操作ボタンの動作と上記スイッチ部材の移動とを連動させるリンク機構と、を具備する穿刺補助器具。
【請求項２】
上記狭持部材に設けられて、上記第１狭持片及び上記第２狭持片を相対的に離反する向きへ弾性付勢する弾性部材を更に有する請求項１に記載の穿刺補助器具。
【請求項３】
上記弾性部材が、上記第１狭持片と上記第２狭持片とを連結し、かつ上記第１狭持片及び上記第２狭持片が相対的に近接することによって圧縮変形されて当該第１狭持片及び当該第２狭持片を弾性付勢するものである請求項２に記載の穿刺補助器具。
【請求項４】
上記第１狭持片及び上記第２狭持片に、施術者の指が挿入可能な環状部材がそれぞれ設けられた請求項１に記載の穿刺補助器具。
【請求項５】
上記第１狭持片における上記第１面又は上記第２狭持片において上記第１面と対向する第２面の少なくともいずれか一方に設けられて、当該第２面又は当該第１面へ向かって突出する回動ストッパを更に有する請求項１に記載の穿刺補助器具。
【請求項６】
上記狭持部材及び上記保持部に、当該狭持部材によって狭持された採血部位が視認可能な窓が設けられた請求項１に記載の穿刺補助器具。
【請求項７】
上記第１狭持片又は上記第２狭持片のいずれか一方における上記第１面においてランセットの針が突出する周辺、及び、上記第１狭持片又は上記第２狭持片のいずれか他方における当該第１面と対向する第２面に、一対の弾性片が対向して配置された請求項１から６のいずれかに記載の穿刺補助器具。
【発明の詳細な説明】
【技術分野】
【０００１】
本発明は、ランセットの針を穿刺する際に、採血部位を固定するに適した穿刺補助器具に関する。
【背景技術】
【０００２】
血糖値の検査などを目的として、血液などの体液をサンプルとして採取することがある。このようなサンプルの採取を行う器具として、いわゆるランセットを用いた穿刺器具が知られている（特許文献１，２）。この穿刺器具は、血管まで穿刺される針を備えたランセットが、ケース内においてバネなどによって弾性付勢された状態に維持され、トリガーが操作されることによって、ランセットの針がケースの先端から勢いよく突出されるものである。ランセットの針の突出寸法は適宜設定されており、ケースの先端を皮膚に押し当てた状態でトリガーを操作すると、飛び出したランセットの針が皮膚を穿刺して血管へ到達する。ランセットは、ケースから突出された後に針と共にケース内へ引き戻される。針が穿刺された皮膚からは血液が滲出するので、滲出した血液が検査用のサンプルとして採取される。
【０００３】
一方、実験動物などから採血を行う際に、麻酔などを用いずに動物を拘束する器具が知られている（特許文献３，４）。このような器具は、動物の体をベルトや筒状部材などで固定する構造が採用されている。
【先行技術文献】
【特許文献】
【０００４】
【特許文献１】特開２００６−８１７５１号公報
【特許文献２】特開平８−５９８号公報
【特許文献３】特開２００２−３０６０１１号公報
【特許文献４】特開２００１−７８６０８号公報
【発明の概要】
【発明が解決しようとする課題】
【０００５】
前述されたランセットを用いて採血するときに、例えば乳幼児のように、施術者と言葉によるコミュニケーションがとりづらい被採血者や採血に恐怖感を抱く被採血者が、施術者が予測できないような動作をするおそれがある。穿刺器具を用いて採血するときには、施術者は、片手で採血部位を持ち、他方の手で穿刺器具を採血部位に押しあてながらトリガーを操作する。したがって、施術者自身が被採血者を押さえ付けることができないので、前述されたような被採血者から採血を行うときには、補助者が被採血者を動かないように押さえた状態で採血が行われる。
【０００６】
一方、動物病院などにおいても、血糖値を測定するために、ランセットを備えた穿刺器具を用いて採血を行うことがある。犬や猫などの動物は、採血に際して静止していることは稀であり、怯えたり興奮したりして暴れることも多い。前述されたように、穿刺器具を用いて採血するときには、施術者自身が動物を押さえ付けることができないので、補助者が動物を押さえつけたり、前述されたような拘束具を使って動物を拘束してから、採血が行われる。
【０００７】
しかし、採血の度に補助者を必要としたり、動物に拘束具を装着してから採血するのでは作業効率が悪いという問題がある。また、ペットから採血する場合には、拘束具が装着されたペットを飼い主が見ると心証を悪くするおそれがある。一方、補助者や拘束具なしに採血を行おうとすれば、被採血者や動物が暴れて誤った箇所に針を穿刺したり、施術者の手などに誤って針を穿刺したりするおそれがある。
【０００８】
本発明は、これらの事情に鑑みてなされたものであり、その目的は、補助者や過剰な拘束具を不要として、簡易且つ確実に採血部位にランセットの針を穿刺できる手段を提供することにある。
【課題を解決するための手段】
【０００９】
(1)  本発明に係る穿刺補助器具は、第１狭持片及び第２狭持片がヒンジを介して回動可能に連結されて、当該第１狭持片と当該第２狭持片との間に採血部位を狭持可能な狭持部材と、上記第１狭持片又は上記第２狭持片のいずれか一方に設けられて、トリガーが動作されることによって穿刺器具から突出されるランセットの針が、上記第１狭持片又は上記第２狭持片において他方と対向する第１面から突出されるように、当該穿刺器具を保持する保持部と、上記第１狭持片又は上記第２狭持片のいずれか一方に設けられた操作ボタンと、上記保持部に保持された上記穿刺器具のトリガーを動作させるように移動可能なスイッチ部材と、上記操作ボタンの動作と上記スイッチ部材の移動とを連動させるリンク機構と、を具備する。
【００１０】
本穿刺補助器具は、ランセットが装填される穿刺器具を用いて、採血部位にランセットの針を穿刺するに適した補助器具である。この穿刺器具としては、一般的なものが使用可能である。一般的な穿刺器具は、ケース内にランセットが装填されており、トリガーが動作されることによって、ケース内においてバネなどで弾性付勢されたランセットが移動して、ランセットの針がケースから突出される。この突出した針が、採血部位を穿刺して、採血部位に血液が滲出する。
【００１１】
狭持部材は、第１狭持片及び第２狭持片がヒンジを介して回動可能に連結されたものである。第１狭持片及び第２狭持片は、平板形状や棒形状など、採血部位を狭持するに適した形状が適宜採用される。また、第１狭持片と第２狭持片とは必ずしも同一形状でなくてもよい。
【００１２】
第１狭持片又は第２狭持片のいずれか一方には、穿刺器具を装着するための保持部が設けられている。穿刺器具が保持部に装着されることによって、ランセットの針が第１狭持片又は第２狭持片のいずれか一方において他方と対向する第１面から突出し得る。
【００１３】
第１狭持片又は第２狭持片のいずれか一方には、操作ボタンが設けられており、この操作ボタンの動作は、リンク部材によってスイッチ部材と連動されている。スイッチ部材は、保持部に保持された穿刺器具のトリガーを動作させるようにオン／オフの姿勢に移動可能である。
【００１４】
施術者は、穿刺器具が装着された穿刺補助器具を片手に持ち、他方の手で被採血者又は動物を押さえながら、その採血部位を狭持部材で挟み込む。施術者は、狭持部材を挟み持ちながら、操作ボタンを動作させる。この操作ボタンの動作に連動してスイッチ部材がオンとなって穿刺器具のトリガーが動作され、穿刺器具からランセットの針が突出する。突出したランセットの針は、狭持部材によって挟み込まれた採血部位を穿刺する。
【００１５】
(2)  本発明に係る穿刺補助器具は、上記狭持部材に設けられて、上記第１狭持片及び上記第２狭持片を相対的に離反する向きへ弾性付勢する弾性部材を更に有するものであってもよい。
【００１６】
弾性部材によって、施術者が狭持部材を挟み持つ力を緩めれば、第１狭持片と第２狭持片とが離反するので、採血部位を狭持部材で挟み込む操作が容易である。
【００１７】
(3)  上記弾性部材が、上記第１狭持片と上記第２狭持片とを連結し、かつ上記第１狭持片及び上記第２狭持片が相対的に近接することによって圧縮変形されて当該第１狭持片及び当該第２狭持片を弾性付勢するものであってもよい。
【００１８】
弾性部材によって第１狭持片と第２狭持片とが連結されているので、第１狭持片と第２狭持片とが大きく離反することがない。これにより、狭持部材が持ちやすくなる。狭持部材によって採血部位を挟み込むときには、弾性部材が圧縮変形されて、第１狭持片と第２狭持片とが離反する向きへ弾性付勢される。これにより、施術者が狭持部材を挟み持つ力を緩めれば、第１狭持片と第２狭持片とが離反するので、採血部位を狭持部材で挟み込む操作が容易である。
【００１９】
(4)  上記第１狭持片及び上記第２狭持片に、施術者の指が挿入可能な環状部材がそれぞれ設けられてもよい。
【００２０】
これにより、施術者の手の動作に第１狭持片及び第２狭持片が追従するので、狭持部材の操作性がよい。
【００２１】
(5)  上記第１狭持片における上記第１面又は上記第２狭持片において上記第１面と対向する第２面の少なくともいずれか一方に設けられて、当該第２面又は当該第１面へ向かって突出する回動ストッパを更に有するものであってもよい。
【００２２】
回動ストッパによって、第１狭持片の第１面と第２狭持片の第２面とが当接されることがないので、仮に施術者が狭持に必要な力を超えて狭持部材を握ったとしても、狭持に必要な力を超えた過剰な力が採血部位に付与されることがない。これにより、被採血者や動物に過剰な痛みを与えることが防止される。
【００２３】
(6)  上記狭持部材及び上記保持部に、当該狭持部材によって狭持された採血部位が視認可能な窓が設けられてもよい。
【００２４】
この窓は、例えば狭持部材及び保持部の一部が切り欠かれたり、狭持部材及び保持部の一部又は全部が透光性を有する部材から構成されることによって形成される。この窓によって、施術者は採血部位を目視で確認しながら、所望の箇所に確実にランセットの針を穿刺させることができる。
【００２５】
(7)  上記第１狭持片又は上記第２狭持片のいずれか一方における上記第１面においてランセットの針が突出する周辺、及び、上記第１狭持片又は上記第２狭持片のいずれか他方における当該第１面と対向する第２面に、一対の弾性片が対向して配置された請求項１から４のいずれかに記載の穿刺補助器具。
【００２６】
狭持部材によって採血部位を挟み込んだときに、採血部位に弾性片が接触するので、採血部位に生じる痛みが低減される。
【発明の効果】
【００２７】
本発明に係る穿刺補助器具によれば、穿刺器具が装着された穿刺補助器具を片手に持って、採血部位を狭持部材で挟み込んで操作ボタンを動作させると、穿刺器具からランセットの針が突出して採血部位を穿刺するので、施術者は、片手で採血部位を固定しながら穿刺器具を操作することができる。これにより、補助者や過剰な拘束具を不要として、簡易且つ確実に採血部位にランセットの針を穿刺することができる。
【図面の簡単な説明】
【００２８】
【図１】図１は、本発明の実施形態に係る穿刺補助器具１０の全体構成を示す斜視図である。
【図２】図２は、穿刺補助器具１０の側面図である。
【図３】図３は、穿刺補助器具１０の正面図である。
【図４】図４は、穿刺補助器具１０の使用方法を説明するための模式図である。
【図５】図５は、穿刺補助器具１０の第１変形例を示す側面図である。
【図６】図６は、穿刺補助器具１０の第２変形例を示す側面図である。
【図７】図７は、穿刺補助器具１０の第３変形例を示す正面図である。
【発明を実施するための形態】
【００２９】
以下、本発明の好ましい実施形態を説明する。なお、本実施形態は本発明の一実施態様にすぎず、本発明の要旨を変更しない範囲で実施態様を変更できることは言うまでもない。
【００３０】
［穿刺補助器具１０］
図１に示されるように、穿刺補助器具１０（以下、単に「補助器具１０」とも称される。）は、ランセット９１が装填される穿刺器具９０を用いて、採血部位にランセット９１の針９２を穿刺するに適したものである。補助器具１０は、狭持部材１１、保持部１２、操作ボタン１３、押圧板１４、リンク１５を主要な構成とする。
【００３１】
［狭持部材１１］
狭持部材１１は、第１狭持片２１と第２狭持片２２とがヒンジ２３を介して回動可能に連結されたものであり、全体として所謂トングのような物を挟む形状をなしている。第１狭持片２１及び第２狭持片２２は、ヒンジ２３から各々が同じ向きへ延出された長尺の平板であり、図２に示されるように、各々の一方の面が相互に対向しながら接離可能である。図１において、第１狭持片２１及び第２狭持片２２の長尺方向が参照符号１０１として示されている。また、図２に示されるように、第１狭持片２１と第２狭持片２２とが接離する方向がヒンジ２３による回動方向１０３である。
【００３２】
なお、本実施形態において、第１狭持片２１において第２狭持片２２と対向する面２４が、本発明における第１面に相当する。また、第２狭持片２２において面２４と対向する面２８が、本発明における第２面に相当する。
【００３３】
第１狭持片２１及び第２狭持片２２の寸法は特に限定されず、採血すべき採血部位を安定して挟み込むことができ、かつ施術者が片手で持つに適した寸法が採用される。ヒンジ２３は、第１狭持片２１の基端に設けられた軸２５と、第２狭持片２２の基端に設けられて軸２５における軸線方向（長尺方向１０１と直交する方向）の両端と回動可能に連結された円盤２６，２７によって構成されている。本明細書においては、第１狭持片２１及び第２狭持片２２の長尺方向１０１において、ヒンジ２３側の端が基端と称され、反対側の端が先端と称される。
【００３４】
［保持部１２］
第１狭持片２１には、穿刺器具９０が装着される保持部１２が設けられている。保持部１２は、穿刺器具９０においてランセット９１の針９２が突出する先端側を挿入可能な筒形状をなしている。保持部１２は、第１狭持片２１の先端側において面２４と反対側の面に配置されている。図３に示されるように、保持部１２の筒形状の軸線１０２は、第１狭持片２１の面２４と直交している。保持部１２の内形は、穿刺器具９０の先端付近の外形に合致している。したがって、穿刺器具９０は、保持部１２に挿入されることによって、軸線１０２以外の方向に対して固定される。保持部１２の奥部には、第１狭持片２１及びゴム片３２を厚み方向へ貫通する孔３１が形成されている。この孔３１の周縁に、穿刺器具９０の先端が当接されることによって、保持部１２に挿入された穿刺器具９０の挿入位置が決定される。そして、後述されるように、穿刺器具９０から突出されるランセット９１の針９２は、孔３１を通じて第１狭持片２１の面２４から第２狭持片２２へ向かって突出される。
【００３５】
第１狭持片２１の面２４における先端付近、及び第２狭持片２２の面２８における先端付近には、ゴム片３２，３３がそれぞれ設けられている。ゴム片３２，３３は、各々がほぼ同寸法の円盤形状をなしており、面２４，２８にそれぞれ貼り付けられている。このゴム片３２，３３は、図１に示されるように狭持部材１１が閉じられた状態において、相互に対向するように配置されている。このゴム片３２，３３が、本発明における弾性片に相当する。
【００３６】
第１狭持片２１の面２４における長尺方向１０１の中央付近には、ストッパ３４が設けられている。ストッパ３４は、面２４から第２狭持片２２において面２８へ向かって突出する楔形状の部材である。ストッパ３４は、例えばゴムなどの圧縮変形可能な弾性部材からなる。ストッパ３４によって、図１に示されるように狭持部材１１が閉じられても、第１狭持片２１の面２４と第２狭持片２２の面２８とが完全に接触せず、また、ゴム片３２，３３も完全に接触しない。換言すれば、ストッパ３４によって、ゴム片３２，３３がある程度近接した状態でヒンジ２３による回動が制止される。このストッパ３４の突出高さは、ゴム片３２，３３の間に挟み持つ採血部位の厚みを考慮して適宜設定される。ストッパ３４が、本発明における回動ストッパに相当する。
【００３７】
［操作ボタン１３、押圧板１４、リンク１５］
第１狭持片２１には、保持部１２より若干基端側に操作ボタン１３が設けられている。この操作ボタン１３は、後述されるリンク１５に支持されて、第１狭持片２１と接離する方向に移動可能である。この操作ボタン１３が接離する方向は、保持部１２の軸線１０２に沿った方向である。操作ボタン１３は、概ね円盤形状であり、施術者が親指で押圧するに適した寸法に設定されている。
【００３８】
押圧板１４は、保持部１２の軸線１０２に配置されている。押圧板１４は、後述されるリンク１５に支持されて、軸線１０２に沿った方向に移動可能である。また、リンク１５によって、軸線１０２から外れた位置にも移動可能である。押圧板１４は、概ね円盤形状であり、穿刺器具９０のトリガー９３を動作させるに適した寸法に設定されている。
【００３９】
リンク１５は、操作ボタン１３の動作と押圧板１４の移動とを連動させるものである。リンク１５は、保持部１２の外周面において、軸線１０２に沿った方向へスライド可能に支持された第１節４１，４２と、第１節４１，４２に回動自在に連結された第２節４３，４４とを主要な構成とする。
【００４０】
第１節４１，４２は、保持部１２の外周面であって長尺方向１０１と直交する方向の両側に対をなして設けられている。各図には現れていないが、保持部１２の外周面には軸線１０２に沿った方向へ延びるガイド溝が形成されており、このガイド溝にスライド可能に支持されて、第１節４１，４２が保持部１２に連結されて、軸線１０２に沿った方向へ移動可能となっている。第１節４１，４２は、それぞれＬ字形状をなしており、各Ｌ字形状の一方が軸線１０２に沿った方向へ延出されて、第２節４３，４４とそれぞれ連結されており、他方が第１狭持片２１の長尺方向１０１へ延出されて、操作ボタン１３と連結されている。操作ボタン１３は、第１節４１，４２に連結されることによって、第１狭持片２１に対して接離する方向へ移動可能に支持されている。
【００４１】
第１節４１，４２と第２節４３，４４とは、軸４５，４６を介して回動可能に連結されている。第２節４３，４４は、直線状に延出された棒材であり、軸４５，４６と反対側の端は、押圧板１４に連結されている。第１節４１，４２が軸線１０２に沿った方向へスライドすると、第２節４３，４４も同じ方向へ連動してスライドする。また、押圧板１４も、軸線１０２に沿った方向へ連動して移動する。
【００４２】
図２に示されるように、第１節４１，４２に対して第２節４３，４４が回動されることによって、押圧板１４が軸線１０２から外れた位置へ移動される。また、図１に示されるように、押圧板１４が軸線１０２上へ位置されると、押圧板１４は、保持部１２に挿入された穿刺器具９０のトリガー９３と接触して、穿刺器具９０を保持部１２から脱離する向きに対して制止する。したがって、図１に示された押圧板１４の位置において、補助器具１０がどのような姿勢にされても、保持部１２から穿刺器具９０が脱離することがない。
【００４３】
［補助器具１０の使用方法］
以下に、補助器具１０の使用方法が説明される。
【００４４】
補助器具１０には、使用に際して穿刺器具９０が装着される。穿刺器具９０としては、ランセット９１を用いた一般的なものが使用可能である。詳細な構成の説明は省略されるが、図３に示されるように、穿刺器具９０は、ケース９４内にランセット９１が装填されており、トリガー９３が動作されることによって、ケース９４内においてバネなどで弾性付勢されたランセット９１が移動し、ランセット９１の針９２がケース９４の先端から突出される。ランセット９１及び針９２は、採血毎に交換されるものであり、穿刺器具９０が補助器具１０に装着される前後に、予め装填される。そして、レバー９５がトリガー９３へ向かって移動されると、ケース９４内のバネが圧縮変形されて、ランセット９１が弾性付勢された状態に待機される。
【００４５】
前述された穿刺器具９０を補助器具１０に装着する際には、図２に示されるように、リンク１５の第２節４３，４４を回動させて押圧板１４を軸線１０２から外れた位置へ移動させる。そして、保持部１２へ穿刺器具９０の先端を挿入する。穿刺器具９０の先端が孔３１の周縁に当接するまで挿入した後、リンク１５の第２節４３，４４を回動させて、押圧板１４を軸線１０２上へ位置させる。これにより、押圧板１４が穿刺器具９０のトリガー９３と当接し、穿刺器具９０が保持部１２から脱離しないように固定される。
【００４６】
施術者は、穿刺器具９０が装着された補助器具１０を片手に持ち、他方の手で被採血者又は動物を押さえながら、採血部位９９を狭持部材１１で挟み込む。これにより、図４（Ａ）に示されるように、採血部位９９は、狭持部材１１においてゴム片３２，３３の間に挟み込まれる。
【００４７】
続いて、施術者は、狭持部材１１を片手で挟み持ちながら、その片手の親指で操作ボタン１３を動作させる。図４（Ｂ）に示されるように、この操作ボタン１３の動作が、リンク１５を通じて押圧板１４に伝達されて、押圧板１４が連動する。これにより、穿刺器具９０のトリガー９３が押圧板１４によってケース９４に対して押し込まれる。トリガー９３が押し込まれると、ケース９４内において弾性付勢されて待機されていたランセット９１が、待機状態から解放されて、弾性付勢によってケース９４の先端側へ勢いよく移動する。そして、ケース９２の先端からランセット９１の針９２が突出する。突出したランセット９１の針９２は、孔３０を通じて第１狭持片２１の面２４から突出し、狭持部材１１によって挟み込まれた採血部位９９を穿刺する。その後、穿刺器具９０のケース９４内において伸長したバネが復元することによって、図４（Ｃ）に示されるように、ランセット９１が引き戻され、これに伴ってランセット９１の針９２が採血部位９９から引き抜かれてケース９４内へ収納される。
【００４８】
［本実施形態の作用効果］
前述されたように、穿刺器具９０が装着された補助器具１０を施術者が片手に持って、採血部位９９を狭持部材１１で挟み込んで操作ボタン１３を動作させると、穿刺器具９０からランセット９２の針９２が突出して採血部位９９を穿刺するので、施術者は、片手で採血部位９９を固定しながら穿刺器具９０を操作することができる。これにより、補助者や過剰な拘束具を不要として、簡易且つ確実に採血部位９９にランセット９１の針９２を穿刺することができる。
【００４９】
また、ストッパ３４によって、第１狭持片２１の面２４と第２狭持片２２の面２８とが当接されることがないので、仮に施術者が狭持に必要な力を超えて狭持部材１１を握ったとしても、採血部位９９に狭持に必要な力を超えた過剰な力が付与されることがない。これにより、被採血者や動物に過剰な痛みを与えることが防止される。
【００５０】
また、第１狭持片２１の面２４及び第２狭持片２２の面２８に、ゴム片３２，３３がそれぞれ設けられたので、狭持部材１１によって採血部位９９を挟み込んだときに、採血部位９９にゴム片３２，３３が接触して弾性変形し、採血部位９９に生じる痛みが低減される。
【００５１】
なお、本実施形態では、ヒンジ２３によって第１狭持片２１と第２狭持片２２とが回動可能に連結されているが、本発明において、第１狭持片２１，第２狭持片２２及びヒンジ２３は、必ずしも別個独立の部材によって構成されている必要はない。例えば、ヒンジ２３の如く弾性変形可能な合成樹脂によって、第１狭持片２１，第２狭持片２２及びヒンジ２３が一体に成形されてもよい。また、第１狭持片２１及び第２狭持片２２は、平板形状の他に、棒形状など、採血部位９９を狭持するに適した形状であれば、その形状が適宜変更されてもよい。また、第１狭持片２１と第２狭持片２２とは必ずしも同一形状でなくてもよい。
【００５２】
また、本実施形態では、筒形状の保持部１２が第１狭持片２１に設けられているが、保持部１２の形状は、穿刺器具９０の外形などに適合させて変更されてよい。また、保持部１２及び操作ボタン１３が、第１狭持片２１でなく第２狭持片２２に設けられてもよいし、保持部１２及び操作ボタン１３の両方が、必ずしも第１狭持片２１又は第２狭持片２２の一方に設けられる必要はないことは言うまでもない。また、ストッパ３４が、第２狭持片２２に設けられてもよいことも言うまでもない。
【００５３】
また、リンク１５も、操作ボタン１３の動作を機械的に押圧板１４の動作に連動させるものであれば、他の公知のリンク機構が採用されてもよい。また、穿刺器具９０のトリガー９３の位置や操作方向に合わせて、押圧板１４が動作させる方向も適宜変更されてもよい。
【００５４】
［第１変形例］
以下に、上記実施形態の第１変形例が説明される。
【００５５】
第１変形例では、図５に示されるように、ストッパ３４に代えて、狭持部材１１に、第１狭持片２１と第２狭持片２２を相対的に離反する向きへ弾性付勢するコイルバネ５１が設けられている。このコイルバネ５１が、本発明における弾性部材に相当する。
【００５６】
コイルバネ５１は、その両端が第１狭持片２１の面２４と第２狭持片２２の面２８とにそれぞれ接続されて、第１狭持片２１と第２狭持片２２とを連結している。コイルバネ５１によって、回動方向１０２を離反する向きへ弾性付勢された第１狭持片２１及び第２狭持片２２は、外力が加えられなければ、図５に示されるように、離反された状態に維持される。この状態において、第１狭持片２１と第２狭持片２２との距離は、コイルバネ５１の自然長によって決定される。したがって、コイルバネ５１が自然長から伸長するまで、第１狭持片２１と第２狭持片２２とが離反されることもない。
【００５７】
一方、前述されたように、施術者が片手に狭持部材１１を持って採血部位９９を挟み込もうとすると、コイルバネ５１が圧縮変形されて、第１狭持片２１と第２狭持片２２が相対的に近接する。この状態において、第１狭持片２１と第２狭持片２２とは、圧縮変形されたコイルバネ５１によって、離反する向きへ弾性付勢されている。したがって、施術者が狭持部材１１を挟み持つ力を緩めれば、第１狭持片２１と第２狭持片２２とが離反する。
【００５８】
前述されたように、コイルバネ５１が第１狭持片２１と第２狭持片２２とを離反する向きへ弾性付勢することによって、採血部位９９を狭持部材１１で挟み込んでから開放する操作が容易となる。また、コイルバネ５１によって第１狭持片２１と第２狭持片２２とが連結されているので、第１狭持片２１と第２狭持片２２とが大きく離反することがなく、狭持部材１１が持ちやすくなる。
【００５９】
なお、第１変形例においては、弾性部材としてコイルバネ５１が用いられているが、コイルバネ５１を板バネやゴムなどに変更しても、第１変形例と同様の効果が奏されることは言うまでもない。また、第１変形例においては、狭持部材１１にストッパ３４が設けられていないが、狭持部材１１にストッパ３４及びコイルバネ５１が併設されていてもよい。
【００６０】
［第２変形例］
以下に、上記実施形態の第２変形例が説明される。
【００６１】
第２変形例では、図６に示されるように、狭持部材１１の第１狭持片２１及び第２狭持片２２に、施術者の指が挿入可能な環状部材５２，５３がそれぞれ設けられている。
【００６２】
環状部材５２は、第１狭持片２１における操作ボタン１３に近接して配置されている。環状部材５２は、概ねＵ字形状をなしており、Ｕ字形状の開口端が第１狭持片２１に連結されることによって、第１狭持片２１の一部と共に環を形成している。この環は、施術者の親指が挿入されて、操作ボタン１３を操作可能な程度の大きさである。
【００６３】
環状部材５３は、第２狭持片２２において、長尺方向１０１の中央より若干基端側に配置されている。環状部材５３は、概ねＵ字形状をなしており、Ｕ字形状の開口端が第２狭持片２２に連結されることによって、第２狭持片２２の一部と共に環を形成している。この環は、施術者の親指以外の残りの指が挿入される程度の大きさである。
【００６４】
前述されたように、施術者が片手に狭持部材１１を持って採血部位９９を挟み込もうとする際に、施術者は、片手の親指を環状部材５２に挿通させ、かつ、片手の残りの指を環状部材５３に挿通させて、狭持部材１１を挟み持つ。これにより、施術者の指の動作、すなわち施術者が片手を開いたり閉じたりする動作に、第１狭持片２１及び第２狭持片２２が追従するので、狭持部材１１の操作性がよい。
【００６５】
なお、本発明における環状部材は、必ずしも環状部材５２，５３のように完全な環を形成するものでなくてもよい。したがって、例えば、環状部材５２，５３の一部が開放されていてもよい。
【００６６】
［第３変形例］
以下に、上記実施形態の第３変形例が説明される。
【００６７】
第３変形例では、図７に示されるように、狭持部材１１の第１狭持片２１、保持部１２及びゴム片３２の一部が切り欠かれて、窓６０が形成されている。
【００６８】
窓６０は、第１狭持片２１、保持部１２及びゴム片３２において、第１狭持片２１の長尺方向１０１の先端側（ヒンジ２３と反対側）の一部分が、軸線１０２方向に沿って連続した空間となるように切り欠かれたものである。この窓６０における長尺方向１０１及び軸線１０２と直交する幅Ｗは、ランセット９１の針９２が飛び出す穿刺器具９０の先端部分９６を第１狭持片２１及び保持部１２の外側から視認することができ、かつ穿刺器具９０が保持部１２から脱離しない範囲に設定されている。
【００６９】
前述されたように、施術者が、採血部位９９を狭持部材１１で挟み込んで、操作ボタン１３を動作させる前に、窓６０を通じて、穿刺器具９０の先端部分９６が採血部位９９に当接している状態を視認することができる。また、先端部分９６からランセット９１の針９２が突出するときも、窓６０を通じて採血部位９９を視認することができる。この窓６０によって、施術者は採血部位９９を目視で確認しながら、所望の箇所に確実にランセット９１の針９２を穿刺させることができる。
【００７０】
なお、第３変形例においては、第１狭持片２１、保持部１２及びゴム片３２の一部分が切り欠かれることによって窓６０が形成されているが、このような切欠きに代えて、第１狭持片２１、保持部１２及びゴム片３２の一部分や全部が透光性を有する透明な部材から構成されることによって窓６０が形成されてもよい。
【符号の説明】
【００７１】
１０・・・穿刺補助器具
１１・・・狭持部材
１２・・・保持部
１３・・・操作ボタン
１４・・・スイッチ部材
１５・・・リンク（リンク機構）
２１・・・第１狭持片
２２・・・第２狭持片
２３・・・ヒンジ
２４・・・面（第１面）
３２，３３・・・ゴム片（弾性片）
３４・・・ストッパ（回動ストッパ）
５１・・・コイルバネ（弾性部材）
５２，５３・・・環状部材
６０・・・窓
９０・・・穿刺器具
９１・・・ランセット
９２・・・針
９３・・・トリガー
９９・・・採血部位
【図１】
2010155022.tif 000003
【図２】
2010155022.tif 000004
【図３】
2010155022.tif 000005
【図４】
2010155022.tif 000006
【図５】
2010155022.tif 000007
【図６】
2010155022.tif 000008
【図７】
2010155022.tif 000009